(57)【要約】【課題】複数のユーザによる撮影指示に応じて撮影できる撮像装置において、多重露光撮影が行われている間でも他のユーザからの撮影および多重露光撮影をできるようにする。【解決手段】該撮像装置に通信可能に接続された外部制御装置および該撮像装置に設けられた操作部を介した複数のユーザの撮影指示に応じて撮影を行う撮影装置であって、前記撮影指示に応じて撮影画像を生成する撮像手段と、前記撮影指示の経路に基づいて前記撮影指示したユーザを特定するユーザ特定手段と、前記ユーザ特定手段により特定されたユーザ毎に前記撮像手段により生成された撮影画像を合成して多重露光画像を生成する生成手段とを有する。【選択図】図２
2013016885.tif 000002
【特許請求の範囲】
【請求項１】
該撮像装置に通信可能に接続された外部制御装置および該撮像装置に設けられた操作部を介した複数のユーザの撮影指示に応じて撮影を行う撮影装置であって、
前記撮影指示に応じて撮影画像を生成する撮像手段と、
前記撮影指示の経路に基づいて前記撮影指示したユーザを特定するユーザ特定手段と、
前記ユーザ特定手段により特定されたユーザ毎に前記撮像手段により生成された撮影画像を合成して多重露光画像を生成する生成手段とを有することを特徴とする撮像装置。
【請求項２】
ユーザ毎の多重露光の撮影枚数がユーザ毎に設定された設定枚数に達したか否かを判定する多重露光管理手段を更に有し、
前記生成手段は、前記多重露光管理手段により設定枚数に達したと判定されるまで、ユーザ毎に既に生成した多重露光画像に前記撮像手段によって生成された撮影画像を合成して新たな多重露光画像を生成することを特徴とする請求項１に記載の撮像装置。
【請求項３】
前記生成手段によって生成された多重露光画像を前記ユーザ特定手段により特定されたユーザ毎に表示させる表示処理手段を有することを特徴とする請求項２に記載の撮像装置。
【請求項４】
該撮像装置の操作部を介した撮影指示に基づいて前記生成手段によって多重露光画像が生成された場合、前記表示処理手段は、前記多重露光画像を該撮像装置に設けられた表示部に表示することを特徴とする請求項３に記載の撮像装置。
【請求項５】
該撮像装置の操作部を介したユーザの選択に応じて前記生成手段によって生成された多重露光画像を採用するか否かを判定する選択判定手段と、
前記選択判定手段によって前記多重露光画像を採用しない判定がされた場合、前記多重露光画像と前記多重露光画像を生成するときに合成した撮影画像とを消去する消去手段とを更に有することを特徴とする請求項４に記載の撮像装置。
【請求項６】
前記外部制御装置を介した撮影指示に基づいて前記生成手段によって多重露光画像が生成された場合、前記表示処理手段は、前記多重露光画像を前記外部制御装置に送信し前記外部制御装置に設けられた表示部に表示させることを特徴とする請求項３に記載の撮像装置。
【請求項７】
前記多重露光画像を前記外部制御装置に送信した後、該撮像装置に設けられる内部記憶部に記憶された前記多重露光画像を消去する消去手段を更に有することを特徴とする請求項６に記載の撮像装置。
【請求項８】
前記生成手段は、前記外部制御装置に送信した多重露光画像を前記外部制御装置から受信し、受信した前記多重露光画像に前記撮像手段により生成された撮影画像を合成して新たな多重露光画像を生成することを特徴とする請求項６または７に記載の撮像装置。
【請求項９】
前記外部制御装置を介したユーザの選択に応じて前記生成手段によって生成された多重露光画像を採用するか否かを判定する選択判定手段と、
前記選択判定手段によって前記多重露光画像を採用しない判定がされた場合、前記外部制御装置に送信した前記多重露光画像を消去させる消去手段とを更に有することを特徴とする請求項６乃至８の何れか１項に記載の撮像装置。
【請求項１０】
前記生成手段は、前記撮影指示に応じて撮影した撮影画像を当該撮影指示したユーザ以外の多重露光画像に合成して新たな多重露光画像を生成することを特徴とする請求項１乃至９の何れか１項に記載の撮像装置。
【請求項１１】
該撮像装置に通信可能に接続された外部制御装置および該撮像装置に設けられた操作部を介した複数のユーザの撮影指示に応じて撮影を行う撮影装置の制御方法であって、
前記撮影指示に応じて撮影画像を生成する撮像ステップと、
前記撮影指示の経路に基づいて前記撮影指示したユーザを特定するユーザ特定ステップと、
前記ユーザ特定ステップにより特定されたユーザ毎に前記撮像ステップにより生成された撮影画像を合成して多重露光画像を生成する生成ステップとを有することを特徴とする制御方法。
【請求項１２】
該撮像装置に通信可能に接続された外部制御装置および該撮像装置に設けられた操作部を介した複数のユーザの撮影指示に応じて撮影を行う撮影装置を制御するためのプログラムであって、
前記撮影指示に応じて撮影画像を生成する撮像ステップと、
前記撮影指示の経路に基づいて前記撮影指示したユーザを特定するユーザ特定ステップと、
前記ユーザ特定ステップにより特定されたユーザ毎に前記撮像ステップにより生成された撮影画像を合成して多重露光画像を生成する生成ステップとをコンピュータに実行させるためのプログラム。
【発明の詳細な説明】
【技術分野】
【０００１】
本発明は、撮像装置、その制御方法およびプログラムに関するものである。特に、多重露光撮影を行うことができる撮像装置を複数のユーザが制御する場合に用いられて好適である。
【背景技術】
【０００２】
撮像装置には、多重露光モードに設定することで、一駒の画像に複数の画像を重ねて合成させた多重露光画像を撮影する、多重露光撮影を行うことができるものがある。特許文献１のデジタルカメラは、操作スイッチの操作により多重露光モードを設定でき、メインＣＰＵが電子ズーム倍率、ホワイトバランス、画素数等の変更を禁止し、多重露光モードで撮影する複数枚の画像に対し、電子ズーム倍率等を同条件に固定する。
【０００３】
また、撮像装置には、複数のユーザにより同時に操作できるものがある。この場合、ユーザが撮像装置の操作ボタンを直接操作したり、撮像装置に接続された外部制御装置を介してリモート操作したりすることで１つの撮像装置が同時に制御される。ユーザが外部制御装置を介して撮像装置を制御する場合、撮像装置と外部制御装置とをＵＳＢ（Ｕｎｉｖｅｒｓａｌ  Ｓｅｒｉａｌ  Ｂｕｓ）やＩＥＥＥ１３９４に代表される所定形式のケーブルや無線または有線ＬＡＮ等により接続する。そして、ユーザが外部制御装置を介して操作命令を撮像装置に伝送することでリモート操作を可能とする。
【０００４】
複数のユーザが同時に撮像装置を操作する場合、撮像装置の機能によっては同時に操作することにより不都合が生じてしまうという問題がある。このような問題に対して、特許文献２に開示されたデジタルカメラは、このデジタルカメラを使用するユーザを登録し、機能毎にアクセス権と優先順位を設定している。このデジタルカメラでは、複数のユーザが同一機能へ同時にアクセスした場合に優先順位に従って動作が制御されている。
【先行技術文献】
【特許文献】
【０００５】
【特許文献１】特開２００２−２１８３１３号公報
【特許文献２】特開２００８−９８９１４号公報
【発明の概要】
【発明が解決しようとする課題】
【０００６】
しかしながら、複数のユーザによって撮像装置の同時制御が行われる場合に、特許文献１で開示されている多重露光撮影が行われたとすると、多重露光撮影を行っているユーザ以外によって撮影された画像が多重露光撮影の対象となってしまう。したがって、多重露光撮影を行っているユーザが意図しない画像が合成された多重露光画像になってしまうという問題が生じてしまう。これを解決するために特許文献２で開示されているデジタルカメラの技術を用いた場合、多重露光撮影により複数枚の撮影が行われている間、他のユーザからの撮影が禁止されてしまうことになる。多重露光撮影が終了するのは、ユーザが意図する撮影画像を取得できた場合であるため、多重露光撮影の終了を特定することができず、その間、他のユーザからの撮影ができなくなってしまう。
【０００７】
本発明は、上述したような問題点に鑑みてなされたものであり、複数のユーザによる撮影指示に応じて撮影できる撮像装置において、多重露光撮影が行われている間でも他のユーザからの撮影および多重露光撮影をできるようにすることを目的とする。
【課題を解決するための手段】
【０００８】
本発明は、該撮像装置に通信可能に接続された外部制御装置および該撮像装置に設けられた操作部を介した複数のユーザの撮影指示に応じて撮影を行う撮影装置であって、前記撮影指示に応じて撮影画像を生成する撮像手段と、前記撮影指示の経路に基づいて前記撮影指示したユーザを特定するユーザ特定手段と、前記ユーザ特定手段により特定されたユーザ毎に前記撮像手段により生成された撮影画像を合成して多重露光画像を生成する生成手段とを有することを特徴とする。
【発明の効果】
【０００９】
本発明によれば、複数のユーザによる撮影指示に応じて撮影できる撮像装置において、多重露光撮影が行われている間でも他のユーザからの撮影および多重露光撮影ができる。
【図面の簡単な説明】
【００１０】
【図１】本実施形態の撮像装置のブロック図である。
【図２】実施例１に係る撮影方法を示すフローチャートである。
【図３】実施例２に係る撮影方法を示すフローチャートである。
【図４】実施例３に係る撮影方法を示すフローチャートである。
【図５】本実施形態の撮影画像および多重露光画像の一例を示す図である。
【発明を実施するための形態】
【００１１】
以下、図面を用いて本発明の最良な実施形態を詳細に説明する。
図１は、本実施形態に係る撮像システム１の構成を示す図である。撮像システム１は、撮像装置１０と外部制御装置３０とが通信可能に接続されている。撮像装置１０には例えばデジタルカメラを用いることができ、外部制御装置３０には例えばパーソナルコンピュータを用いることができる。
【００１２】
まず、撮像装置１０の各部の構成および動作について図１を参照して説明する。
撮像装置１０は、制御部１１、撮影レンズ１２、絞り１３、撮像素子１４、センサ制御部１５、Ａ／Ｄ変換器１６、画像処理回路１７、内部記憶部１８、外部記憶媒体Ｉ／Ｆ回路１９を備えている。また、撮像装置１０は、露出決定部２１、測光センサ２２、ユーザ特定部２３、外部制御装置接続Ｉ／Ｆ２４、多重露光管理部２５、表示部２６、操作部２７、撮影スイッチ２８等を備えている。
【００１３】
制御部１１は、メインＣＰＵを含み、撮影動作の制御、撮影画像の生成、画像の合成等の撮像装置１０全体の動作を制御する。被写体からの光線Ｌは、撮影レンズ１２および絞り１３を介して撮像素子１４で受光される。撮像素子１４は、受光した光を電気信号に変換する素子であり、ＣＣＤ（電化転送デバイス）、ＣＭＯＳデバイス等の固定撮像素子により構成される。
【００１４】
センサ制御部１５は、撮像素子１４から画像データを読み出すタイミングを制御するためのクロック制御を行う。Ａ／Ｄ変換器１６は、アナログ信号をデジタル信号に変換する。画像処理回路１７は、デジタル信号に変換された画像データを輪郭補償、ガンマ補正、ホワイトバランス補正等の画像処理を行い、内部記憶部１８のＲＡＭ１８ａに記憶する。内部記憶部１８は、一時記憶部としてのＲＡＭ１８ａ、ＲＯＭ１８ｂを有し、他にフラッシュメモリ等を有していてもよい。画像処理回路１７によって画像処理された画像データは一時的にＲＡＭ１８ａに記憶される。ＲＡＭ１８ａに記憶された画像データは、外部記録媒体Ｉ／Ｆ回路１９を経由してメモリカード等の外部記録媒体２０に保存される。
【００１５】
測光センサ２２は、撮影レンズ１２を通して得られる光量の計測を行う。露出決定部２１は、測光センサ２２で得られた光量に基づいて適正な露出値を決定する。制御部１１は、決定された露出値に基づいて撮像素子１４のセンサ感度の制御、絞り１３による絞り制御、撮像素子１４に光を供給するためにシャッターを開放する時間の制御を行う。
【００１６】
外部制御装置接続Ｉ／Ｆ２４は、外部制御装置３０と接続して外部制御装置３０との間でデータを通信するためのものである。外部制御装置接続Ｉ／Ｆ２４には、複数の外部制御装置３０との接続が可能である。ここでは、ＵＳＢ接続Ｉ／Ｆを用いるが、ＵＳＢに代表される他のシリアル接続や有線または無線を用いることができる。表示部２６は、撮像装置１０の各種設定の表示や撮影した撮影画像を表示する。操作部２７は、撮像装置１０を操作するユーザが各種設定、撮影モードの設定、多重露光の設定枚数の入力等をするためのものである。本実施形態では、撮影モードを複数の撮影画像を合成して多重露光画像を生成する多重露光モードに設定することができる。撮影スイッチ２８は、ユーザが撮像装置１０に対して撮影指示するときに押下するスイッチであり、操作部の一つとして構成することができる。
【００１７】
ユーザ特定部２３は、撮影スイッチ２８および外部制御装置接続Ｉ／Ｆ２４に接続された複数の外部制御装置３０のうち何れから撮影指示が行われたかを撮影指示の経路に基づいて判別することで撮影指示したユーザを特定する。
多重露光管理部２５は、多重露光撮影に関する処理を行い、多重露光撮影で生成された多重露光画像をユーザ毎に管理する。上述した制御部１１、露出決定部２１、ユーザ特定部２３および多重露光管理部２５等による処理は、メインＣＰＵがＲＯＭ１８ｂに記録されたプログラムを実行することにより実現する。
【００１８】
次に、外部制御装置３０の各部の構成および動作について図１を参照して説明する。
外部制御装置３０は、制御部３１、内部記憶部３２、表示部３３、操作部３４等を備えている。制御部３１は、メインＣＰＵを含み、外部制御装置３０全体の動作を制御する。内部記憶部３２は、一時記憶部としてのＲＡＭ３２ａ、ＲＯＭ３２ｂ、ＨＤ（ハードディスク）３２ｃ等を有している。撮像装置１０から受信した画像データは一時的にＲＡＭ３２ａに記憶される。表示部３３は、撮像装置１０の各種設定の表示や撮像装置１０から受信した画像データを表示する。操作部３４は、外部制御装置３０を操作するユーザが撮像装置１０に対し、撮影モードの設定、多重露光の設定枚数の入力、撮影指示等をするためのものである。また、上述した制御部３１による処理は、メインＣＰＵがＲＯＭ３２ｂに記録されたプログラムを実行することにより実現する。
【００１９】
まず、本実施形態の理解を容易にするために、上述したユーザ特定部２３および多重露光管理部２５を機能させない場合について説明する。ここでは、撮像装置１０のユーザおよび外部制御装置３０のユーザがそれぞれ撮影モードを多重露光モードに設定している。撮像装置１０のユーザが撮影スイッチ２８を用いて多重露光の撮影指示を行い、外部制御装置３０のユーザが操作部３４を用いて外部制御装置接続Ｉ／Ｆ２４を介して撮像装置１０に撮影指示を行う。
【００２０】
以下では、便宜上、撮像装置１０を操作するユーザをユーザＡとし、外部制御装置３０を操作するユーザをユーザＢとして説明する。
ユーザＡは、図５（ａ）に示すような水平線からの日の出の画像と、図５（ｂ）に示すような水平線上の月の画像とが同時に写り込んだ図５（ｆ）に示すような多重露光画像の撮影を所望している。したがって、ユーザＡは、多重露光の設定枚数を２枚として入力する。
【００２１】
まず、ユーザＡによる撮影指示により制御部１１は図５（ａ）に示すような水平線からの日の出の画像を撮影する。制御部１１は生成した画像をＲＡＭ１８ａに記憶する。次に、図５（ｂ）に示す水平線上の月の画像をユーザＡが撮影指示する前に、ユーザＢによる撮影指示によって、制御部１１が図５（ｃ）に示すような画像を撮影したとする。したがって、制御部１１は生成した図５（ｃ）に示す画像と、ＲＡＭ１８ａに記憶している図５（ａ）に示す画像とを合成し、図５（ｇ）に示すような多重露光画像を生成し、ＲＡＭ１８ａに記憶する。
【００２２】
この場合、図５（ｇ）に示す多重露光画像はユーザＡが所望する画像でない上に、ユーザＢが撮影指示した画像自体の生成も行われないという問題が生じる。この問題に対して、ユーザＡが多重露光撮影を行っている間、ユーザＡの操作を優先し他のユーザの操作を受け付けないようにして解決しようとすると、ユーザＢは撮影指示を行うことができないという問題がある。上述した例では、ユーザＢは約半日以上の間、撮影指示を行うことができないことになってしまう。
【００２３】
そこで、本実施形態の撮像装置１０では、多重露光撮影を行う場合、ユーザ特定部２３が撮影指示したユーザを特定し、多重露光管理部２５がユーザ毎に多重露光画像の管理を行うことで、複数のユーザにより操作される場合であっても多重露光撮影を可能にする。
【実施例１】
【００２４】
まず、実施例１に係る多重露光の撮影方法について図２および図５を参照して説明する。図２は、実施例１に係る撮像装置１０の撮影方法の動作を示すフローチャートである。
実施例１では、ユーザＡは図５（ａ）に示す水平線からの日の出の画像と図５（ｂ）に示す水平線上の月の画像とが同時に写り込んだ図５（ｆ）に示す画像の撮影を所望しているものとする。したがって、ユーザＡは操作部２７を介して撮影モードを多重露光モードにすると共に多重露光の設定枚数を２枚に設定する。
【００２５】
一方、ユーザＢは図５（ｃ）に示すヨットの画像と図５（ｄ）に示すヨットの画像とが同時に写り込んだ図５（ｈ）に示す画像の撮影を所望しているものとする。したがって、ユーザＢは外部制御装置３０の操作部３４を用いて外部制御装置接続Ｉ／Ｆ２４を介して撮影モードを多重露光モードにすると共に多重露光の設定枚数を２枚に設定する。
【００２６】
ユーザ特定部２３は撮影モードおよび設定枚数が設定された経路に基づいて、撮影モードおよび設定枚数を設定したユーザを特定する。具体的には、ユーザ特定部２３は、撮像装置１０の操作部２７を介して設定されたか、外部制御装置接続Ｉ／Ｆ２４を介した設定されたかを判別することで、ユーザを特定することができる。また、外部制御装置接続Ｉ／Ｆ２４に複数の外部制御装置３０が接続されている場合、ユーザ特定部２３は、例えば接続される外部制御装置３０毎の固有な値（ＩＰアドレスやＭＡＣアドレス等）に基づいてユーザを特定すればよい。多重露光管理部２５は、設定情報としてユーザ毎に撮影モードと多重露光の設定枚数とを管理する。
【００２７】
図２に示すフローチャートにおいて、ステップＳ１０１では、制御部１１は撮影指示に応じて撮像素子１４を用い撮影画像を生成し、ＲＡＭ１８ａに記憶する。また、ユーザ特定部２３は、撮影指示したユーザを特定する。ユーザ特定部２３が撮影指示したユーザを特定するには、上述した撮影モードおよび設定枚数を設定したユーザを特定する方法と同様の方法を用いることができる。
【００２８】
ステップＳ１０２では、多重露光管理部２５は撮影指示したユーザが多重露光モードを設定しているユーザであるか否かを管理している設定情報に基づいて判定する。撮影指示したユーザが多重露光モードに設定しているユーザであった場合、ステップＳ１０３に進む。ステップＳ１０３では、制御部１１はステップＳ１０１で撮影指示したユーザの識別情報が付された多重露光画像がＲＡＭ１８ａに記憶されているかを判定し、記憶されている場合は読み出す。なお、特定されたユーザの撮影指示が１回目である場合、ＲＡＭ１８ａには撮影指示したユーザの識別情報が付された多重露光画像は記憶されていないので、次のステップＳ１０４に進む。
【００２９】
次に、ステップＳ１０４では、制御部１１は画像処理回路１７を用いて読み出した多重露光画像と、ステップＳ１０１で生成された撮影画像とを合成して、新たな多重露光画像を生成する。制御部１１はユーザ毎の識別情報を付して生成した多重露光画像をＲＡＭ１８ａに記憶する。また、制御部１１は、ステップＳ１０１で生成された撮影画像も多重露光画像の素材画像として、ユーザ毎の識別情報を付してＲＡＭ１８ａに記憶する。なお、制御部１１はステップＳ１０３で撮影指示したユーザの識別情報が付された多重露光画像がＲＡＭ１８ａに記憶されていなかった場合、ステップＳ１０１で撮影された撮影画像を多重露光画像としてユーザ毎の識別情報を付してＲＡＭ１８ａに記憶する。
【００３０】
ステップＳ１０５では、制御部１１はＲＡＭ１８ａに記憶した多重露光画像をステップＳ１０１で撮影指示したユーザに対応する表示部に表示（プレビュー）する。この処理は、表示処理手段による処理の一例に対応する。具体的には、ユーザが撮像装置１０の撮影スイッチ２８を介して撮影指示した場合、制御部１１は多重露光画像を撮像装置１０の表示部２６に表示する。一方、ユーザが外部制御装置３０の操作部３４を用いて撮影指示した場合、制御部１１は多重露光画像を外部制御装置３０に送信する。外部制御装置３０は受信した多重露光画像を表示部３３に表示する。したがって、各ユーザは操作した装置の表示部を介して生成された多重露光画像を確認することができる。
【００３１】
ステップＳ１０６では、制御部１１はユーザが多重露光画像として採用するか否かの選択を待機する。この処理は、選択判定手段による処理の一例に対応する。具体的には、ユーザがステップＳ１０５で表示された画像を多重露光画像として採用するか否かを撮像装置１０の操作部２７あるいは外部制御装置３０の操作部３４を介して選択する。採用しない旨の選択がされた場合、ステップＳ１１２に進む。
ステップＳ１１２では、制御部１１はステップＳ１０４で生成された多重露光画像をＲＡＭ１８ａから消去する。次に、ステップＳ１１３では、制御部１１はステップＳ１０１で撮影し、素材画像としてＲＡＭ１８ａに記憶した撮影画像を消去する。このとき、今回の撮影前までの多重露光画像がある場合、その多重露光画像はＲＡＭ１８ａに記憶したままにする。
【００３２】
一方、ステップＳ１０６においてユーザが多重露光画像として採用する旨の選択をした場合、ステップＳ１０７に進む。
ステップＳ１０７では、制御部１１はユーザ毎の識別情報を付して正式な多重露光画像としてＲＡＭ１８ａに記憶する。なお、ＲＡＭ１８ａに今回の撮影前までの多重露光画像が記憶されている場合、制御部１１はその多重露光画像をＲＡＭ１８ａから消去する。
【００３３】
ステップＳ１０８では、多重露光管理部２５はユーザ毎の多重露光の撮影枚数をカウントアップする。ステップＳ１０９では、多重露光管理部２５は多重露光の撮影枚数がユーザ毎の設定枚数に達したか否かを判定し、達していない場合、処理を終了し、達している場合、ステップＳ１１０に進む。ステップＳ１１０では、制御部１１はＲＡＭ１８ａに記憶されている多重露光画像を外部記録媒体２０に保存する。
次に、ステップＳ１１１では、制御部１１は多重露光画像を生成するために用いた撮影画像に関する処理を実行する。具体的には、制御部１１は多重露光画像の生成に用いたＲＡＭ１８ａに記憶されている撮影画像を外部記録媒体２０に保存したり、消去したりする。撮影画像に関する処理は、各ユーザの設定に応じて変更することができる。
【００３４】
一方、ステップＳ１０２において、撮影指示したユーザが多重露光モードに設定していないユーザであった場合、ステップＳ１１４に進む。ステップＳ１１４では、制御部１１はステップＳ１０１で生成した撮影画像を通常の撮影画像として、外部記録媒体２０に保存する。
【００３５】
次に、図２に示すフローチャートに沿って、ユーザＡ，ユーザＢが多重露光撮影した場合の画像を図５を用いて説明する。
ユーザＡが図５（ａ）に示す画像を撮影すると、ユーザＡの多重露光画像としてＲＡＭ１８ａに記憶される。
ユーザＢが図５（ｃ）に示す画像を撮影すると、ユーザＢの多重露光画像としてユーザＡの多重露光画像と分けてＲＡＭ１８ａに記憶される。
ユーザＢが図５（ｅ）に示す画像を撮影すると、ＲＡＭ１８ａに記憶されているユーザＢの図５（ｃ）に示す多重露光画像と撮影画像とを合成して図５（ｉ）に示す多重露光画像が生成され、ＲＡＭ１８ａに記憶される。また、図５（ｉ）に示す多重露光画像はユーザＢが撮影指示した外部制御装置３０の表示部３３にプレビューされる。
プレビューの結果、ユーザＢが多重露光画像として採用しないことが選択された場合、図５（ｉ）に示す多重露光画像と図５（ｅ）に示す撮影画像はＲＡＭ１８ａから消去される。
【００３６】
ユーザＢが図５（ｄ）に示す画像を撮影すると、ＲＡＭ１８ａに記憶されているユーザＢの図５（ｃ）に示す多重露光画像と撮影画像とを合成して図５（ｈ）に示す多重露光画像が生成され、ＲＡＭ１８ａに記憶される。また、図５（ｈ）に示す多重露光画像はユーザＢが撮影指示した外部制御装置３０の表示部３３にプレビューされる。
プレビューの結果、ユーザＢが多重露光画像として採用することが選択された場合、図５（ｈ）に示す画像が正式な多重露光画像としてＲＡＭ１８ａに記憶される。この場合、ユーザＢによる多重露光の撮影枚数が設定枚数に達したので、図５（ｈ）に示す多重露光画像が外部記録媒体２０に保存される。また、ユーザＢが撮影し多重露光画像を生成するときに用いられた図５（ｃ）および図５（ｄ）に示す撮影画像はＲＡＭ１８ａから消去される。
【００３７】
ユーザＡが図５（ｂ）に示す画像を撮影すると、ユーザＡの撮影画像として既にＲＡＭ１８ａに記憶されている図５（ａ）に示す画像と合成して図５（ｆ）に示す多重露光画像が生成され、ＲＡＭ１８ａに記憶される。また、図５（ｆ）に示す多重露光画像はユーザＡが撮影指示した撮像装置１０の表示部２６にプレビューされる。
プレビューの結果、ユーザＡが多重露光画像として採用することが選択された場合、図５（ｆ）に示す画像が正式な多重露光画像としてＲＡＭ１８ａに記憶される。この場合、ユーザＡによる多重露光の撮影枚数が設定枚数に達したので、図５（ｆ）に示す多重露光画像が外部記録媒体２０に保存される。また、ユーザＡが撮影し多重露光画像を生成するときに用いられた図５（ａ）および図５（ｂ）に示す撮影画像はＲＡＭ１８ａから消去される。
【００３８】
このように、実施例１では、ユーザ特定部２３が撮影指示したユーザを特定し、多重露光管理部２５がユーザ毎に多重露光撮影を管理するので、ユーザが多重露光撮影を行っている間であっても他のユーザからの撮影および多重露光撮影を可能にする。
【実施例２】
【００３９】
次に、実施例２に係る多重露光の撮影方法について図３に示すフローチャートを参照して説明する。
実施例１では、ユーザ毎の多重露光画像を全て撮像装置１０の内部記憶部１８で記憶させる場合について説明したが、実施例２では多重露光画像をユーザに対応した装置で記憶させることで撮像装置１０の内部記憶部１８を有効に利用することができる。実施例２では、多重露光モードに設定している外部制御装置３０を介してユーザが撮影指示したものとして説明する。
【００４０】
図３に示すフローチャートにおいて、ステップＳ２０１では、制御部１１は撮影指示に応じて撮影画像を生成し、ＲＡＭ１８ａに記憶する。ここでは、ユーザ特定部２３は撮影指示したユーザを特定すると共に多重露光管理部２５は撮影指示したユーザが多重露光モードを設定していると判定する。
ステップＳ２０２では、制御部１１はステップＳ２０１で特定されたユーザに対応した外部制御装置３０に対して多重露光画像を送信している場合、外部制御装置３０に多重露光画像を要求する。制御部１１は外部制御装置３０から多重露光画像を受信し、ＲＡＭ１８ａに記憶して読み出す。なお、特定されたユーザの撮影指示が１回目である場合、対応する外部制御装置３０には多重露光画像は記憶されていないので、次のステップＳ２０３に進む。
【００４１】
次に、ステップＳ２０３では、制御部１１は読み出した多重露光画像と、ステップＳ２０１で生成された撮影画像とを合成して、新たな多重露光画像を生成する。制御部１１はユーザ毎の識別情報を付し生成した多重露光画像をＲＡＭ１８ａに記憶する。なお、制御部１１はステップＳ２０２で多重露光画像を受信しなかった場合、ステップＳ２０１で撮影された撮影画像を多重露光画像としてユーザ毎の識別情報を付してＲＡＭ１８ａに記憶する。
【００４２】
ステップＳ２０４では、制御部１１はＲＡＭ１８ａに記憶した多重露光画像をステップＳ２０１で撮影指示したユーザに対応する表示部に表示（プレビュー）する。ここでは、外部制御装置３０から撮影指示されているので、制御部１１は多重露光画像を外部制御装置３０に送信し、外部制御装置３０は送信された多重露光画像を表示部３３に表示する。
ステップＳ２０５では、制御部１１は送信した多重露光画像をＲＡＭ１８ａから消去する。したがって、この時点でＲＡＭ１８ａには外部制御装置３０のユーザに対応する多重露光画像は記憶されていない。
【００４３】
ステップＳ２０６では、制御部１１はユーザが多重露光画像として採用するか否かの選択を待機する。外部制御装置３０のユーザはステップＳ２０４で表示された画像を多重露光画像として採用するか否かの選択を外部制御装置３０の操作部３４を介して選択する。採用しない旨の選択がされた場合、ステップＳ２１２に進む。
ステップＳ２１２では、制御部１１はステップＳ２０４で送信した多重露光画像を消去するように外部制御装置３０に指示し、外部制御装置３０は指示に応じて多重露光画像を消去する。なお、撮像装置１０からの指示に応じて消去する場合に限られず、外部制御装置３０はユーザの操作部３４を介した選択に応じて多重露光画像を消去してもよい。
【００４４】
一方、ステップＳ２０６においてユーザが多重露光画像として採用する旨の選択をした場合、ステップＳ２０７に進む。
ステップＳ２０７では、制御部１１は外部制御装置３０で記憶している多重露光画像をステップＳ２０４で送信した新たな多重露光画像に置き換えるように外部制御装置３０に指示する。外部制御装置３０では撮像装置１０の指示に応じて多重露光画像を置き換え、置き換える前の多重露光画像を消去する。なお、撮像装置１０からの指示に応じて置き換える場合に限られず、外部制御装置３０はユーザの操作部３４を介した選択に応じて多重露光画像を置き換え、置き換える前の多重露光画像を消去してもよい。
【００４５】
次に、ステップＳ２０８では、多重露光管理部２５はユーザ毎の多重露光の撮影枚数をカウントアップする。ステップＳ２０９では、多重露光管理部２５は多重露光の撮影枚数がユーザ毎の設定枚数に達したか否かを判定し、達している場合、ステップＳ２１０に進む。ステップＳ２１０では、制御部１１は外部制御装置３０で表示している多重露光画像を外部制御装置３０内のＨＤ３２ｃ等の記録媒体に保存するように指示する。なお、制御部１１は外部制御装置３０に多重露光画像を撮像装置１０に転送するように指示し、転送された多重露光画像を外部記録媒体２０に保存してもよい。
ステップＳ２１１では、制御部１１は多重露光画像の生成に用いられたＲＡＭ１８ａに記憶されている撮影画像を消去する。
【００４６】
一方、ステップＳ２０９において、多重露光の撮影枚数が設定枚数に達していない場合、ステップＳ２１１に進む。ステップＳ２１１では、制御部１１はＲＡＭ１８ａに記憶している多重露光に用いられた撮影画像を消去する。
【００４７】
次に、図３に示すフローチャートに沿って、ユーザＡ，ユーザＢが多重露光撮影した場合の画像を図５を用いて説明する。
ユーザＡが図５（ａ）に示す画像を撮影すると、ユーザＡの多重露光画像としてＲＡＭ１８ａに記憶される。
ユーザＢが図５（ｃ）に示す画像を撮影すると、ユーザＢの多重露光画像としてＲＡＭ１８ａに記憶された後、外部制御装置３０に送信される。送信された後、撮像装置１０のＲＡＭ１８ａから図５（ｃ）に示す画像が消去される。
ユーザＢが図５（ｄ）に示す画像を撮影すると、ユーザＢの撮影画像としてＲＡＭ１８ａに記憶される。また、外部制御装置３０から図５（ｃ）に示す画像が撮像装置１０に転送され、撮像装置１０のＲＡＭ１８ａに記憶される。その後、図５（ｃ）に示す画像と図５（ｄ）に示す画像とを合成して図５（ｈ）に示す多重露光画像が生成され、ＲＡＭ１８ａに記憶された後、外部制御装置３０に送信されプレビューされる。図５（ｈ）に示す多重露光画像が送信された時点で撮像装置１０内のＲＡＭ１８ａから図５（ｈ）に示す多重露光画像は消去される。
【００４８】
プレビューの結果、ユーザＢが多重露光画像として採用しないことが選択された場合、図５（ｈ）に示す多重露光画像は外部制御装置３０から消去される。
プレビューの結果、ユーザＢが多重露光画像として採用することが選択された場合、図５（ｈ）に示す画像が多重露光画像として外部制御装置３０で記憶される。この場合、ユーザＢによる多重露光の撮影枚数が設定枚数に達したので、図５（ｈ）に示す多重露光画像が外部制御装置３０の記録媒体または撮像装置１０の外部記録媒体２０に保存される。また、撮像装置１０内のＲＡＭ１８ａから図５（ｃ）および図５（ｄ）に示す撮影画像は消去される。
【００４９】
ユーザＡが図５（ｂ）に示す画像を撮影すると、ユーザＡの多重露光画像として既にＲＡＭ１８ａに記憶されている図５（ａ）に示す画像と合成して図５（ｆ）に示す多重露出画像が生成され、ＲＡＭ１８ａに記憶され、表示部２６にプレビューされる。
プレビューの結果、ユーザＡが多重露光画像として採用することが選択された場合、図５（ｆ）に示す画像が正式な多重露光画像としてＲＡＭ１８ａに記憶される。この場合、ユーザＡによる多重露光の撮影枚数が設定枚数に達したので、図５（ｆ）に示す多重露光画像が外部記録媒体２０に保存される。また、ユーザＡが撮影し多重露光画像を生成するときに用いられた図５（ａ）および図５（ｂ）に示す撮影画像はＲＡＭ１８ａから消去される。
【００５０】
このように、実施例２によれば実施例１の効果に加えて、外部制御装置３０のユーザの撮影指示により生成された多重露光画像を撮像装置１０の内部記憶部１８に記憶しないために、撮像装置１０内の内部記憶部１８を有効に利用することができる。
【実施例３】
【００５１】
次に、実施例３に係る多重露光の撮影方法について図４に示すフローチャートを参照して説明する。
実施例１および実施例２では、ユーザの撮影指示に応じて生成された撮影画像は、そのユーザの多重撮影画像の生成のみに用いる場合について説明した。実施例３では撮影画像を撮影指示したユーザ以外のユーザでも利用できるようにする。ここでは、多重露光撮影を所望する各ユーザが、ユーザ毎に撮影モードの設定および多重露光の設定枚数を入力しているものとする。ユーザ特定部２３は各ユーザを特定し、多重露光管理部２５がユーザ毎に多重露光撮影を管理している。
【００５２】
図４に示すフローチャートにおいて、ステップＳ３０１では、制御部１１は撮影指示に応じて撮影画像を生成し、ＲＡＭ１８ａに記憶する。ステップＳ３０２では、制御部１１は多重露光管理部２５が管理している設定情報に基づいて各ユーザの識別情報が付された多重露光画像がＲＡＭ１８ａに記憶されているかを判定し、記憶されている場合は読み出す。例えば、全てのユーザの多重露光画像が記憶されている場合には、全てのユーザの多重露光画像が読み出される。ステップＳ３０３では、制御部１１は読み出した各多重露出画像と、ステップＳ３０１で生成された撮像画像とをそれぞれ合成して、ユーザ毎に新たな多重露光画像を生成し、ユーザ毎の識別情報を付してＲＡＭ１８ａに記憶する。この処理によって、一度に各ユーザに対応する複数の多重露光画像が生成される。
【００５３】
ステップＳ３０４では、制御部１１はＲＡＭ１８ａに記憶したユーザ毎の多重露光画像を各ユーザに対応する表示部に表示（プレビュー）する。具体的には、制御部１１は撮像装置１０のユーザには表示部２６に表示する。また、外部制御装置３０のユーザには外部制御装置３０に送信し、外部制御装置３０は受信した多重露光画像を表示部３３に表示する。
【００５４】
ステップＳ３０５では、制御部１１は各ユーザが多重露光画像として採用するか否かの選択を待機し、全てのユーザが多重露光画像として採用しない旨の選択がされた場合、ステップＳ３０６に進む。
ステップＳ３０６では、制御部１１はステップＳ３０３で生成した全ての多重露光画像およびステップＳ３０１で生成した撮影画像をＲＡＭ１８ａから消去する。このとき、今回の撮影前までの多重露光画像はＲＡＭ１８ａに記憶したままにする。
【００５５】
一方、ステップＳ３０５において何れかのユーザが多重露光画像として採用する旨の選択をした場合、ステップＳ１０６に進む。ステップＳ１０６〜ステップＳ１１２までの処理は、実施例１のステップＳ１０６〜ステップＳ１１２までの処理と同様であり、各ユーザに対してそれぞれ行われる。
【００５６】
すなわち、ステップＳ１０６において、制御部１１は多重露光画像として採用する選択をしたユーザに対しては、ステップＳ１０７〜ステップＳ１１１までの処理を行う。この処理は、実施例１の処理と同様であるため簡単に説明する。
ステップＳ１０７では、制御部１１はユーザ毎の識別情報を付して正式な多重露光画像としてＲＡＭ１８ａに記憶する。ＲＡＭ１８ａに今回の撮影前までの多重露光画像が記憶されている場合、制御部１１はその多重露光画像をＲＡＭ１８ａから消去する。
【００５７】
ステップＳ１０８では、多重露光管理部２５はユーザ毎の多重露光の撮影枚数をカウントアップする。ステップＳ１０９では、多重露光管理部２５は多重露光の撮影枚数がユーザ毎の設定枚数に達したか否かを判定し、達していない場合、ステップＳ３０７に進み、達している場合、ステップＳ１１０に進む。ステップＳ１１０では、制御部１１は多重露光画像として外部記録媒体２０に保存する。
次に、ステップＳ１１１では、制御部１１は多重露光画像を生成するために用いられた撮影画像に関する処理を実行する。
【００５８】
一方、ステップＳ１０６において、制御部１１は多重露光画像として採用しないと選択したユーザに対しては、ステップＳ１１２において、ステップＳ３０３で生成した多重露光画像をＲＡＭ１８ａから消去する。なお、ステップＳ３０１で生成した撮影画像は、他のユーザの多重露光画像を合成するときに用いられるために、制御部１１は撮影画像をＲＡＭ１８ａに記憶したままにする。
【００５９】
次に、ステップＳ３０７では、制御部１１は全てのユーザに対して多重露光画像の処理が終了したか否かを判定し、終了していない場合、ステップＳ１０６に戻り、次のユーザに対してステップＳ１０６〜ステップＳ１１２までの処理を行う。
【００６０】
このように、実施例３によれば実施例１の効果に加えて、他のユーザが撮影した撮影画像を多重露光画像に含めることができるので、多重露光画像を生成するときの幅を広げることが可能である。
【００６１】
以上、本発明の好ましい実施形態について説明したが、本発明は上述した実施形態に限定されず、その要旨の範囲内で種々の変形及び変更が可能である。例えば、上述した実施例では、多重露光画像をＲＡＭ１８ａに記憶する場合について説明したが、この場合に限られず、ＲＡＭ１８ａ以外の内部記憶部１８に記憶してもよい。また、上述した実施例では、ユーザ毎の識別情報を付して多重露光画像を記憶する場合について説明したが、この場合に限られず、ユーザ毎に関連付けて多重露光画像を記憶できれば、記憶する態様は限定されない。また、上述した実施例１から実施例３までを適宜組み合わせて構成することも可能である。
なお、上述した本実施形態における撮像装置および外部制御装置を構成する各手段、並びに撮像装置および外部制御装置の制御方法の各ステップは、各制御部のメインＣＰＵが各ＲＯＭ等に記憶されたプログラムを実行することによって実現できる。このプログラムおよびこのプログラムを記録したコンピュータ読み取り可能な記録媒体は本発明に含まれる。
【符号の説明】
【００６２】
１：撮像システム  １０：撮像装置  １１：制御部  １２：撮影レンズ  １４：撮像素子  １７：画像処理回路  １８：内部記憶部  １８ａ：ＲＡＭ  １８ｂ：ＲＯＭ  ２３：ユーザ特定部  ２５：多重露光管理部  ２６：表示部  ２７：操作部  ２８：撮影スイッチ  ３０：外部制御装置  ３１：制御部  ３２：内部記憶部  ３３：表示部  ３４：操作部
【図１】
2013016885.tif 000003
【図２】
2013016885.tif 000004
【図３】
2013016885.tif 000005
【図４】
2013016885.tif 000006
【図５】
2013016885.tif 000007